(57)【要約】【課題】積み重なった状態で収容される複数枚のカード状媒体間の摩擦係数が高くても、収容されたカード状媒体を確実に送り出すことが可能となる媒体スタッカを提供する。【解決手段】複数枚のカード状媒体２が積み重ねられて収容される媒体スタッカ４では、媒体スタッカ４の下端に、媒体スタッカ４に収容される複数枚のカード状媒体２のうちの一番下のカード状媒体２が送り出される媒体送出口４ｊが形成されている。媒体送出口４ｊから送り出されるカード状媒体２の送出方向側を前側とし、カード状媒体２の送出方向の反対側を後ろ側とすると、媒体スタッカ４は、媒体スタッカ４の前側面を構成する前側板４ｂと、媒体スタッカ４の後側面を構成する後側板４ｃとを備えている。後側板４ｃの少なくとも上端側は、上側に向かうにしたがって後ろ側へ傾斜する傾斜部４ｍとなっており、傾斜部４ｍには、媒体スタッカ４に収容された状態のカード状媒体２が接触する。【選択図】図２
2014177316.tif 000002
【特許請求の範囲】
【請求項１】
複数枚のカード状媒体が積み重ねられて収容される媒体スタッカであって、
前記媒体スタッカの下端には、前記媒体スタッカに収容される複数枚の前記カード状媒体のうちの一番下の前記カード状媒体が送り出される媒体送出口が形成され、
前記媒体送出口から送り出される前記カード状媒体の送出方向側を前側とし、前記カード状媒体の送出方向の反対側を後ろ側とすると、
前記媒体スタッカは、前記媒体スタッカの前側面を構成する前側板と、前記媒体スタッカの後側面を構成する後側板とを備え、
前記後側板の少なくとも上端側は、上側に向かうにしたがって後ろ側へ傾斜する傾斜部となっており、
前記傾斜部には、前記媒体スタッカに収容された状態の前記カード状媒体が接触することを特徴とする媒体スタッカ。
【請求項２】
前記後側板は、上下方向に平行で前記後側板の下端側部分をなす平行部と、前記平行部の上端に繋がる前記傾斜部とから構成され、
前記前側板は、上下方向に平行で前記前側板の下端側部分をなす前側平行部と、前記前側平行部の上端に繋がるとともに前記傾斜部に略平行な前側傾斜部とから構成され、
前記平行部の、前記平行部と前記傾斜部との境界の近傍、および、前記前側平行部の、前記前側平行部と前記前側傾斜部との境界の近傍の少なくともいずれか一方には、前記媒体スタッカ内の前記カード状媒体の有無を検出することで前記媒体スタッカへの前記カード状媒体の補充時期を検出するための検出用開口部が形成されていることを特徴とする請求項１記載の媒体スタッカ。
【請求項３】
前記後側板の全体が上側に向かうにしたがって後ろ側へ傾斜する前記傾斜部となっていることを特徴とする請求項１記載の媒体スタッカ。
【請求項４】
前記カード状媒体は、袋入りのカードであることを特徴とする請求項１から３のいずれかに記載の媒体スタッカ。
【請求項５】
請求項１から４のいずれかに記載の媒体スタッカと、前記媒体スタッカに収容される前記カード状媒体のうちの一番下の前記カード状媒体を前記媒体送出口から送り出す媒体送出機構とを備えることを特徴とする媒体供給装置。
【発明の詳細な説明】
【技術分野】
【０００１】
本発明は、複数枚のカード状媒体が積み重なった状態で収容される媒体スタッカ、および、この媒体スタッカを備える媒体供給装置に関する。
【背景技術】
【０００２】
従来、複数枚のカードが積み重なった状態で収容されるカードスタッカを有するカード供給機構が知られている（たとえば、特許文献１参照）。特許文献１に記載のカード供給機構は、カードスタッカに収容されたカードの供給方向後端側を所定の高さで支持する支持部材と、この支持部材と略同一の高さでカードスタッカ内に配置されカードの供給方向先端側を規制する規制部材と、支持部材に支持されたカードに当接して複数枚のカードの供給方向後端側を持ち上げる可動部材と、この可動部材をカードの積層方向である上下方向へ駆動する駆動部と、カードスタッカに収容された複数枚のカードのうちの一番下のカードを送り出すキックローラとを備えている。
【０００３】
特許文献１に記載のカード供給機構では、支持部材は、上下方向に対して傾斜する傾斜状カード支持面と、この傾斜状カード支持面の下端に繋がる略垂直状のガイド部位とを備えている。可動部材は、支持部材の内側に配置されている。また、可動部材は、駆動部を構成するモータの駆動力で上昇したときにカードの供給方向後端側に当接するカード当接面を有している。このカード当接面は、上下方向に対して傾斜する段差状に形成されている。
【０００４】
このカード供給機構では、可動部材が上昇すると、カード当接面に当接するカードの供給方向後端側が持ち上げられるため、積み重なった状態でカードスタッカに収容される複数枚のカードが互いに貼り付いている場合であっても、可動部材を昇降させることで、互いに貼り付いたカードを分離することが可能となっている。したがって、このカード供給機構では、積み重なった複数枚のカードが互いに貼り付きやすい環境でカード供給機構が使用される場合であっても、カードスタッカに収容された複数枚のカードを１枚ずつ順次送り出すことが可能になる。
【先行技術文献】
【特許文献】
【０００５】
【特許文献１】特開２００６−９９２２４号公報
【発明の概要】
【発明が解決しようとする課題】
【０００６】
特許文献１に記載のカード供給機構では、可動部材によって、カードの供給方向後端側が持ち上げられる。そのため、このカード供給機構では、カードスタッカに収容される複数枚のカードのうちの一番下のカードの供給方向先端側に、カードスタッカに収容される複数枚のカードの重量に起因する大きな荷重がかかりやすくなる。したがって、このカード供給機構では、カード間の摩擦係数が高いと、一番下のカードとその上のカードとの間の摩擦抵抗によって、カードスタッカからカードを送り出せないといった状況が生じうる。
【０００７】
そこで、本発明の課題は、積み重なった状態で収容される複数枚のカード状媒体間の摩擦係数が高くても、収容されたカード状媒体を確実に送り出すことが可能となる媒体スタッカを提供することにある。また、本発明の課題は、かかる媒体スタッカを備える媒体供給装置を提供することにある。
【課題を解決するための手段】
【０００８】
上記の課題を解決するため、本発明の媒体スタッカは、複数枚のカード状媒体が積み重ねられて収容される媒体スタッカであって、媒体スタッカの下端には、媒体スタッカに収容される複数枚のカード状媒体のうちの一番下のカード状媒体が送り出される媒体送出口が形成され、媒体送出口から送り出されるカード状媒体の送出方向側を前側とし、カード状媒体の送出方向の反対側を後ろ側とすると、媒体スタッカは、媒体スタッカの前側面を構成する前側板と、媒体スタッカの後側面を構成する後側板とを備え、後側板の少なくとも上端側は、上側に向かうにしたがって後ろ側へ傾斜する傾斜部となっており、傾斜部には、媒体スタッカに収容された状態のカード状媒体が接触することを特徴とする。
【０００９】
本発明の媒体スタッカでは、媒体スタッカの後側面を構成する後側板の少なくとも上端側は、上側に向かうにしたがって後ろ側へ傾斜する傾斜部となっており、この傾斜部に、媒体スタッカに収容された状態のカード状媒体が接触している。すなわち、本発明の媒体スタッカでは、媒体スタッカの後側面を構成する後側板において、上下方向における後側板の所定位置から後側板の上端までの全域が後ろ側へ傾斜しており、この傾斜している傾斜部に媒体スタッカに収容された状態のカード状媒体が接触している。そのため、本発明では、少なくとも媒体スタッカの上端側に収容される複数枚のカード状媒体の荷重を後側板の傾斜部で受けることが可能になる。したがって、本発明では、媒体スタッカに収容される複数枚のカード状媒体のうちの一番下のカード状媒体にかかる荷重を低減することが可能になる。
【００１０】
また、本発明では、後側板の少なくとも上端側が上側に向かうにしたがって後ろ側へ傾斜しているため、媒体スタッカに収容される一番下のカード状媒体が媒体送出口から送り出される際にこのカード状媒体が媒体送出口から送り出されるにしたがって、媒体スタッカに収容される残りの複数枚のカード状媒体は、カード状媒体の前側が持ち上がるように傾きやすくなる。したがって、本発明では、媒体スタッカに収容される一番下のカード状媒体が媒体送出口から送り出される際にこのカード状媒体が媒体送出口から送り出されるにしたがって、媒体スタッカに収容される残りの複数枚のカード状媒体の荷重が媒体送出口から送り出される一番下のカード状媒体にかかりにくくなる。
【００１１】
このように、本発明では、媒体スタッカに収容される一番下のカード状媒体にかかる荷重を低減することが可能になり、かつ、媒体スタッカに収容される一番下のカード状媒体が媒体送出口から送り出される際にこのカード状媒体が媒体送出口から送り出されるにしたがって、媒体スタッカに収容される残りの複数枚のカード状媒体の荷重が媒体送出口から送り出される一番下のカード状媒体にかかりにくくなる。したがって、本発明の媒体スタッカが搭載される装置では、積み重なった状態で媒体スタッカに収容される複数枚のカード状媒体間の摩擦係数が高くても、媒体スタッカに収容される一番下のカード状媒体とその上のカード状媒体との間の摩擦抵抗を低減して、媒体スタッカに収容されたカード状媒体を媒体送出口から確実に送り出すことが可能になる。
【００１２】
また、本発明では、上下方向における後側板の所定位置から後側板の上端までの全域が後ろ側へ傾斜しているため、媒体スタッカに収容されるカード状媒体の枚数が増加しても、増加したカード状媒体の荷重を後側板の傾斜部で受けることが可能になる。したがって、本発明では、媒体スタッカに収容されるカード状媒体の枚数が増加しても、媒体スタッカに収容される一番下のカード状媒体にかかる荷重を低減することが可能になり、その結果、媒体スタッカに収容される一番下のカード状媒体とその上のカード状媒体との間の摩擦抵抗を低減して、媒体スタッカに収容されたカード状媒体を媒体送出口から確実に送り出すことが可能になる。
【００１３】
本発明において、たとえば、後側板は、上下方向に平行で後側板の下端側部分をなす平行部と、平行部の上端に繋がる傾斜部とから構成され、前側板は、上下方向に平行で前側板の下端側部分をなす前側平行部と、前側平行部の上端に繋がるとともに傾斜部に略平行な傾斜部とから構成され、平行部の、平行部と傾斜部との境界の近傍、および、前側平行部の、前側平行部と前側傾斜部との境界の近傍の少なくともいずれか一方には、媒体スタッカ内のカード状媒体の有無を検出することで媒体スタッカへのカード状媒体の補充時期を検出するための検出用開口部が形成されている。
【００１４】
本発明において、後側板の全体が上側に向かうにしたがって後ろ側へ傾斜する傾斜部となっていることが好ましい。このように構成すると、媒体スタッカに収容される全てのカード状媒体の荷重を後側板で受けることが可能になる。したがって、媒体スタッカに収容される一番下のカード状媒体にかかる荷重を効果的に低減することが可能になる。また、このように構成すると、媒体スタッカに収容される一番下のカード状媒体が媒体送出口から送り出される際にこのカード状媒体が媒体送出口から送り出されるにしたがって、媒体スタッカに収容される残りの複数枚のカード状媒体は、前側が持ち上がるようにより傾きやすくなり、媒体スタッカに収容される残りの複数枚のカード状媒体の荷重が媒体送出口から送り出される一番下のカード状媒体によりかかりにくくなる。その結果、積み重なった状態で収容される複数枚のカード状媒体間の摩擦係数が高くても、媒体スタッカに収容される一番下のカード状媒体とその上のカード状媒体との間の摩擦抵抗をより低減して、媒体スタッカに収容されたカード状媒体を媒体送出口からより確実に送り出すことが可能になる。
【００１５】
本発明において、カード状媒体は、たとえば、袋入りのカードである。カードが入れられる袋が、たとえば、ポリプロピレン等からなるフィルム袋である場合、積み重ねられたカード状媒体間で袋同士が密着して、カード状媒体同士が貼り付きやすくなるが、本発明では、媒体スタッカに収容される一番下のカード状媒体にかかる荷重を低減することが可能になり、かつ、媒体スタッカに収容される一番下のカード状媒体が媒体送出口から送り出される際にこのカード状媒体が媒体送出口から送り出されるにしたがって、媒体スタッカに収容される残りの複数枚のカード状媒体の荷重が媒体送出口から送り出される一番下のカード状媒体にかかりにくくなるため、カード状媒体が、ポリプロピレン等からなるフィルム袋に入った袋入りのカードであっても、カード状媒体同士の貼り付きを防止して、媒体スタッカに収容されたカード状媒体を媒体送出口から確実に送り出すことが可能になる。
【００１６】
本発明の媒体スタッカは、この媒体スタッカに収容されるカード状媒体のうちの一番下のカード状媒体を媒体送出口から送り出す媒体送出機構を備える媒体供給装置に用いることができる。この媒体供給装置では、積み重なった状態で媒体スタッカに収容される複数枚のカード状媒体間の摩擦係数が高くても、媒体スタッカに収容される一番下のカード状媒体とその上のカード状媒体との間の摩擦抵抗を低減して、媒体スタッカに収容されたカード状媒体を媒体送出口から確実に送り出すことが可能になる。
【発明の効果】
【００１７】
以上のように、本発明の媒体スタッカが搭載される装置では、積み重なった状態で媒体スタッカに収容される複数枚のカード状媒体間の摩擦係数が高くても、媒体スタッカに収容されたカード状媒体を媒体送出口から確実に送り出すことが可能になる。また、本発明の媒体供給装置では、積み重なった状態で媒体スタッカに収容される複数枚のカード状媒体間の摩擦係数が高くても、媒体スタッカに収容されたカード状媒体を媒体送出口から確実に送り出すことが可能になる。
【図面の簡単な説明】
【００１８】
【図１】本発明の実施の形態にかかる媒体供給装置の斜視図である。
【図２】図１に示す媒体供給装置の要部の概略構成を側面から説明するための図である。
【図３】図１に示す媒体スタッカの斜視図である。
【発明を実施するための形態】
【００１９】
以下、図面を参照しながら、本発明の実施の形態を説明する。
【００２０】
（媒体供給装置の構成）
図１は、本発明の実施の形態にかかる媒体供給装置１の斜視図である。図２は、図１に示す媒体供給装置１の要部の概略構成を側面から説明するための図である。図３は、図１に示すカードスタッカ４の斜視図である。
【００２１】
本形態の媒体供給装置１は、カード状媒体である袋入りのカード２を供給するための装置である。したがって、以下の説明では、本形態の媒体供給装置１を「カード供給装置１」とする。カード供給装置１は、複数枚のカード２が上下方向で積み重ねられて収容される媒体スタッカとしてのカードスタッカ４と、カードスタッカ４が着脱可能に取り付けられる本体部５とを備えている。本体部５は、カードスタッカ４に収容されたカード２を１枚ずつ送り出す媒体送出機構としてのカード送出機構６と、カードスタッカ４へのカード２の補充時期を検出するための検出機構７とを備えている。
【００２２】
なお、以下の説明では、カード送出機構６によるカード２の送出方向側（図１〜図３のＸ１方向側）を前側とし、カード２の送出方向の反対側（図１〜図３のＸ２方向側）を後ろ側とする。また、前後方向に直交する図１〜図３のＹ１方向側を「右」側とし、Ｙ２方向側を「左」側とする。
【００２３】
カード２は、厚さが０．７〜０．８ｍｍ程度の塩化ビニール製のカード、厚さが０．１８〜０．３６ｍｍ程度のＰＥＴ（ポリエチレンテレフタレート）カード、あるいは、所定の厚さの紙カード等が袋に収容された袋入りのカードである。このカード２は、略長方形状に形成されている。また、カード２は、たとえば、樹脂で形成される袋に収容されている。本形態のカード２では、ポリプロピレン等からなるフィルム袋にカードが入れられている。
【００２４】
カードスタッカ４は、上面が開口する箱状に形成されており、カードスタッカ４の底面を構成する底板４ａと、カードスタッカ４の前側面を構成する前側板４ｂと、カードスタッカ４の後側面を構成する後側板４ｃと、カードスタッカ４の右側面を構成する右側板４ｄと、カードスタッカ４の左側面を構成する左側板４ｅとを備えている。
【００２５】
底板４ａは、金属板によって形成されている。また、底板４ａは、上下方向に直交する平板状に形成されている。底板４ａには、カード送出機構６を構成する後述の送出ローラ１０等の上端側が配置されるスリット状の配置孔が形成されている。この配置孔は、上下方向で底板４ａを貫通するように形成されている。右側板４ｄおよび左側板４ｅは、金属板によって形成されている。また、右側板４ｄおよび左側板４ｅは、左右方向に直交する平板状に形成されている。前後方向における左側板４ｅの中間位置には、上下方向の全域に亘って切欠き部４ｆが形成されている。
【００２６】
前側板４ｂは、金属板によって構成されている。また、前側板４ｂは、前後方向に直交するとともに（すなわち、上下方向に平行で）前側板４ｂの下端側部分をなす前側平行部としての平行部４ｇと、平行部４ｇの上端に繋がるとともに上側に向かうにしたがって後ろ側へ傾斜する前側傾斜部としての傾斜部４ｈとから構成されている。すなわち、前側板４ｂの上端側は、上側に向かうにしたがって後ろ側へ傾斜する傾斜部４ｈとなっており、前側板４ｂでは、上下方向における前側板４ｂの所定位置から前側板４ｂの上端までの全域が後ろ側へ傾斜している。平行部４ｇおよび傾斜部４ｈは、平板状に形成されている。
【００２７】
平行部４ｇの下端と底板４ａとの間には、カードスタッカ４に収納される複数枚のカード２のうちの一番下のカード２が送り出される媒体送出口としてのカード送出口４ｊが形成されている。すなわち、カードスタッカ４の下端には、カードスタッカ４に収納される一番下のカード２が送り出されるカード送出口４ｊが形成されている。カードスタッカ４に収納されたカード２は、カード送出機構６によって、カード送出口４ｊから前側へ送り出される。
【００２８】
後側板４ｃは、金属板によって構成されている。また、後側板４ｃは、前後方向に直交するとともに（すなわち、上下方向に平行で）後側板４ｃの下端側部分をなす平行部４ｋと、平行部４ｋの上端に繋がるとともに上側に向かうにしたがって後ろ側へ傾斜する傾斜部４ｍとから構成されている。すなわち、後側板４ｃの上端側は、上側に向かうにしたがって後ろ側へ傾斜する傾斜部４ｍとなっており、後側板４ｃでは、上下方向における後側板４ｃの所定位置から後側板４ｃの上端までの全域が後ろ側へ傾斜している。平行部４ｋおよび傾斜部４ｍは、平板状に形成されている。
【００２９】
平行部４ｋの高さと前側板４ｂの平行部４ｇの高さとは略等しくなっており、傾斜部４ｍの高さと前側板４ｂの傾斜部４ｈの高さとは略等しくなっている。また、傾斜部４ｈ、４ｍの高さは、平行部４ｇ、４ｋの高さの４倍程度となっている。なお、平行部４ｇ、４ｋの高さは、可能な限り低いことが好ましい。
【００３０】
傾斜部４ｍと傾斜部４ｈとは略平行になっている。上下方向に対する傾斜部４ｈ、４ｍの傾斜角度θは、約１０°〜４５°となっている。具体的には、本形態では、傾斜角度θは、約２０°となっている。カードスタッカ４に収容された状態のカード２の後端側は、傾斜部４ｍに接触している。具体的には、カードスタッカ４内の、傾斜部４ｈと傾斜部４ｍと右側板４ｄと左側板４ｅとに囲まれた領域に収容された状態のカード２の後端側が傾斜部４ｍに接触している。なお、上下方向に対する傾斜部４ｈの傾斜角度と、上下方向に対する傾斜部４ｍの傾斜角度とが異なっていても良い。
【００３１】
カード送出機構６は、カードスタッカ４に収納された複数枚のカード２のうちの一番下のカード２に当接してこのカード２を前側へ送り出す送出ローラ１０と、送出ローラ１０によって送り出されたカード２を前側へさらに送り出す送出ローラ１１、１２と、カードスタッカ４から複数枚重なった状態で送出されるカード２を分離するための分離ローラ１３とを備えている。
【００３２】
送出ローラ１０は、偏心ローラである。送出ローラ１０の上端側は、底板４ａに形成される配置孔の中に配置されている。送出ローラ１０には、図示を省略するモータが連結されている。また、カードスタッカ４の下側には、カードスタッカ４に収納されるカード２を下側から支持する支持ローラ１４、１５、１６が配置されている。支持ローラ１５は、送出ローラ１０と同軸上に配置されている。支持ローラ１４は、支持ローラ１５よりも後ろ側に配置され、支持ローラ１６は、支持ローラ１５よりも前側に配置されている。支持ローラ１４〜１６の上端側は、底板４ａに形成される配置孔の中に配置されている。
【００３３】
送出ローラ１１、１２は、カード２の下面に当接するようにカード２の搬送路の下側に配置されている。送出ローラ１１は、カードスタッカ４よりも前側に配置され、送出ローラ１２は、送出ローラ１１よりも前側に配置されている。送出ローラ１１、１２には、図示を省略するモータが連結されている。送出ローラ１２の上側には、パッドローラ１７が対向配置されている。パッドローラ１７は、送出ローラ１２に向かって付勢されている。
【００３４】
分離ローラ１３は、送出ローラ１１の上側から送出ローラ１１に対向配置されている。また、分離ローラ１３は、送出ローラ１１に向かって付勢されている。この分離ローラ１３は、重なった状態で送り出されたカード２を分離するため、送出ローラ１０〜１２と同方向に回転する。すなわち、カードスタッカ４からカード２を送り出す際には、送出ローラ１０〜１２が図２の時計方向に回転するとともに、分離ローラ１３も図２の時計方向に回転する。そのため、カードスタッカ４から２枚のカード２が重なった状態で送り出されると、送出ローラ１１にその下面が当接するカード２は、前側に搬送され、分離ローラ１３にその上面が当接するカード２は、カードスタッカ４側（すなわち、後ろ側）へ戻される。
【００３５】
検出機構７は、発光素子と受光素子とを備える光学式のセンサである。この検出機構７は、カードスタッカ４内のカード２の有無を検出することでカードスタッカ４へのカード２の補充時期を検出するために設けられている。具体的には、検出機構７は、カードスタッカ４内の、前側板４ｂの平行部４ｇと後側板４ｃの平行部４ｋと右側板４ｄと左側板４ｅとに囲まれた領域の上端側にカード２が有るか否かを検出することで、カードスタッカ４へのカード２の補充時期を検出するために設けられている。
【００３６】
平行部４ｇの上端側には、図３に示すように、カード２の有無を検出するための検出用開口部４ｐが形成されている。すなわち、平行部４ｇの、平行部４ｇと傾斜部４ｈとの境界の近傍（具体的には、平行部４ｇと傾斜部４ｈとの境界のすぐ下側）には、検出用開口部４ｐが形成されている。また、右側板４ｄの前端側の、検出用開口部４ｐに対応する箇所にも検出用開口部（図示省略）が形成されている。検出機構７を構成する発光素子と受光素子とは、発光素子から受光素子へ向かう光の光軸が検出用開口部４ｐおよび右側板４ｄの検出用開口部を通過するように配置されている。
【００３７】
（本形態の主な効果）
以上説明したように、本形態では、カードスタッカ４を構成する後側板４ｃの上端側は、上側に向かうにしたがって後ろ側へ傾斜する傾斜部４ｍとなっており、後側板４ｃでは、上下方向における後側板４ｃの所定位置から後側板４ｃの上端までの全域が後ろ側へ傾斜している。また、本形態では、カードスタッカ４内の、傾斜部４ｈと傾斜部４ｍと右側板４ｄと左側板４ｅとに囲まれた領域に収容された状態のカード２の後端側が傾斜部４ｍに接触している。そのため、本形態では、カードスタッカ４内の、傾斜部４ｈと傾斜部４ｍと右側板４ｄと左側板４ｅとに囲まれた領域に収容されたカード２の荷重を傾斜部４ｍで受けることが可能になる。したがって、本形態では、カードスタッカ４に収容される複数枚のカード２のうちの一番下のカード２にかかる荷重を低減することが可能になる。
【００３８】
すなわち、カードスタッカ４に収容される複数枚のカード２のうちの一番下のカード２を除く全てのカード２の重量をＷとし、一番下のカード２にかかる荷重をＰとし、傾斜部４ｍからカード２が受ける反力をＱとし、傾斜部４ｍとカード２との間の摩擦係数をμｖとすると、カードスタッカ４に傾斜部４ｋ、４ｍが形成されていない場合に、一番下のカード２にかかる荷重Ｐは、
Ｐ＝Ｗ
となる。
一方、カードスタッカ４に傾斜部４ｋ、４ｍが形成されている場合に、一番下のカード２にかかる荷重Ｐは、
Ｐ＝Ｗ−Ｑｓｉｎθ−μｖＱｃｏｓθ
となる。
このように、本形態では、カードスタッカ４に収容される複数枚のカード２のうちの一番下のカード２にかかる荷重を低減することが可能になる。
【００３９】
また、本形態では、後側板４ｃの上端側が上側に向かうにしたがって後ろ側へ傾斜する傾斜部４ｍとなっているため、カードスタッカ４に収容される一番下のカード２がカード送出口４ｊから送り出される際にこのカード２がカード送出口４ｊから送り出されるにしたがって、カードスタッカ４に収容される残りの複数枚のカード２は、カード２の前側が持ち上がるように傾きやすくなる。したがって、本形態では、カードスタッカ４に収容される一番下のカード２がカード送出口４ｊから送り出される際にこのカード２がカード送出口４ｊから送り出されるにしたがって、カードスタッカ４に収容される残りの複数枚のカード２の荷重がカード送出口４ｊから送り出される一番下のカード２にかかりにくくなる。
【００４０】
このように、本形態では、カードスタッカ４に収容される一番下のカード２にかかる荷重を低減することが可能になり、かつ、カードスタッカ４に収容される一番下のカード２がカード送出口４ｊから送り出される際にこのカード２がカード送出口４ｊから送り出されるにしたがって、カードスタッカ４に収容される残りの複数枚のカード２の荷重がカード送出口４ｊから送り出される一番下のカード２にかかりにくくなる。したがって、本形態では、積み重なった状態でカードスタッカ４に収容される複数枚のカード２間の摩擦係数が高くても、カードスタッカ４に収容される一番下のカード２とその上のカード２との間の摩擦抵抗を低減して、カードスタッカ４に収容されたカード２をカード送出口４ｊから確実に送り出すことが可能になる。
【００４１】
また、本形態では、上下方向における後側板４ｃの所定位置から後側板４ｃの上端までの全域が後ろ側へ傾斜しているため、カードスタッカ４に収容されるカード２の枚数が増加しても、増加したカード２の荷重を傾斜部４ｍで受けることができる。したがって、本形態では、カードスタッカ４に収容されるカード２の枚数が増加しても、カードスタッカ４に収容される一番下のカード２にかかる荷重を低減することが可能になり、その結果、カードスタッカ４に収容される一番下のカード２とその上のカード２との間の摩擦抵抗を低減して、カードスタッカ４に収容されたカード２をカード送出口４ｊから確実に送り出すことが可能になる。
【００４２】
本形態では、前側板４ｂの下端側が平行部４ｇとなっており、後側板４ｃの下端側が平行部４ｋとなっている。そのため、本形態では、前側板４ｂおよび後側板４ｃの全体が上下方向に対して平行になっている従来のカードスタッカ（たとえば、特開２０１３−２０２８３号公報参照）を本体部５に取り付けることが可能である。そのため、本形態では、媒体供給装置１の汎用性を高めることが可能になる。
【００４３】
（他の実施の形態）
上述した形態は、本発明の好適な形態の一例ではあるが、これに限定されるものではなく本発明の要旨を変更しない範囲において種々変形実施が可能である。
【００４４】
上述した形態では、後側板４ｃは、平行部４ｋと傾斜部４ｍとから構成されている。この他にもたとえば、後側板４ｃの全体が上側に向かうにしたがって後ろ側へ傾斜する傾斜部となっていても良い。すなわち、後側板４ｃの下端から上端までの全体が、上側に向かうにしたがって後ろ側へ傾斜する傾斜部によって構成されても良い。この場合には、カードスタッカ４に収容される全てのカード２の荷重を後側板４ｃで受けることが可能になる。したがって、カードスタッカ４に収容される一番下のカード２にかかる荷重を効果的に低減することが可能になる。また、この場合には、カードスタッカ４に収容される一番下のカード２がカード送出口４ｊから送り出される際にこのカード２がカード送出口４ｊから送り出されるにしたがって、カードスタッカ４に収容される残りの複数枚のカード２は、前側が持ち上がるようにより傾きやすくなり、カードスタッカ４に収容される残りの複数枚のカード２の荷重がカード送出口４ｊから送り出される一番下のカード２によりかかりにくくなる。その結果、積み重なった状態で収容される複数枚のカード２の摩擦係数が高くても、カードスタッカ４に収容される一番下のカード２とその上のカード２との間の摩擦抵抗をより低減して、カードスタッカ４に収容されたカード２をカード送出口４ｊからより確実に送り出すことが可能になる。なお、この場合には、前側板４ｂの全体も上側に向かうにしたがって後ろ側へ傾斜する傾斜部となっている。この場合の前側板４ｂの上下方向に対する傾斜角度は、上下方向に対する後側板４ｃの傾斜角度と同じであっても良いし、異なっていても良い。
【００４５】
また、上述した形態では、後側板４ｃは、平行部４ｋと傾斜部４ｍとから構成されているが、カードスタッカ４へ収容されるカード２を案内するためのガイド部が傾斜部４ｍの上端に繋がるように形成されても良い。この場合には、このガイド部は、上側に向かうにしたがって後ろ側へ傾斜している。また、このガイド部の上下方向に対する傾斜角度は、上下方向に対する傾斜部４ｍの傾斜角度θよりも大きくなっている。同様に、カードスタッカ４へ収容されるカード２を案内するためのガイド部が前側板４ｂの傾斜部４ｈの上端に繋がるように形成されても良い。この場合には、このガイド部は、上側に向かうにしたがって前側へ傾斜している。
【００４６】
上述した形態では、前側板４ｂの平行部４ｇの上端側に検出用開口部４ｐが形成されている。この他にもたとえば、検出用開口部４ｐに代えて、後側板４ｃの平行部４ｋの上端側に検出用開口部が形成されるとともに、この検出用開口部に対応する右側板４ｄの後端側の箇所に検出用開口部が形成されても良い。この場合には、検出機構７を構成する発光素子から受光素子へ向かう光の光軸が後側板４ｃの検出用開口部および右側板４ｄの検出用開口部を通過するように発光素子および受光素子が配置される。また、検出用開口部４ｐおよび右側板４ｄの前端側に形成される検出用開口部に加えて、平行部４ｋの上端側に検出用開口部が形成されるとともに、右側板４ｄの後端側に検出用開口部が形成されても良い。
【００４７】
上述した形態では、カード送出機構６は、カードスタッカ４に収納された複数枚のカード２のうちの一番下のカード２に当接してこのカード２を前側へ送り出す送出ローラ１０を備えている。この他にもたとえば、カード送出機構６は、送出ローラ１０に代えて、カードスタッカ４に収納された一番下のカード２の後端面に当接する爪部材やこの爪部材を駆動する爪部材駆動機構等を備えていても良い。なお、カード２の厚さが薄くてカード２の剛性が低い場合には、カードスタッカ４に収容されたカード２は、送出ローラ１０によって送り出されることが好ましい。一方、カード２の厚さが厚くてカード２の剛性が高い場合には、カードスタッカ４に収容されたカード２は、爪部材によって送り出されることが好ましい。
【００４８】
上述した形態では、カードスタッカ４は、本体部５に着脱可能に取り付けられている。この他にもたとえば、カードスタッカ４は、本体部５に固定されていても良い。たとえば、底板４ａと前側板４ｂと後側板４ｃと右側板４ｄと左側板４ｅとが本体部５のフレームと一体化されていても良い。
【００４９】
上述した形態では、カード２は、袋入りのカードであるが、カード２は、袋に入っていない塩化ビニール製のカード、ＰＥＴカードまたは紙カード等であっても良い。また、上述した形態では、カード２は、略長方形状に形成されているが、カード２は、略正方形状に形成されても良い。また、上述した形態において、傾斜面４ｍとカード２との接触抵抗を大きくするための部材が傾斜部４ｍの前面に固定されても良い。たとえば、傾斜部４ｍの前面にフェルト等が固定されても良い。
【符号の説明】
【００５０】
１  カード供給装置（媒体供給装置）
２  カード（カード状媒体）
４  カードスタッカ（媒体スタッカ）
４ｂ  前側板
４ｃ  後側板
４ｇ  平行部（前側平行部）
４ｈ  傾斜部（前側傾斜部）
４ｊ  カード送出口（媒体送出口）
４ｋ  平行部
４ｍ  傾斜部
４ｐ  検出用開口部
６  カード送出機構（媒体送出機構）
Ｘ１  送出方向側、前側
Ｘ２  送出方向の反対側、後ろ側
【図１】
2014177316.tif 000003
【図２】
2014177316.tif 000004
【図３】
2014177316.tif 000005